(57)【要約】【課題】複数の種目が含まれる競技を行っている人の健康状態を適切に判定する。【解決手段】複数の種目が含まれる競技における選手の健康状態を管理するコンピュータに、前記種目の練習時における前記選手のバイタル情報と、前記種目を識別する種目識別情報とを関連付けて記憶部に記憶し、前記競技中において前記選手が行っている種目を識別する種目識別情報と、前記選手のバイタル情報とを取得し、取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する、処理を実行させるための健康管理プログラムが提供される。【選択図】図２
2018109825.tif 000002
【特許請求の範囲】
【請求項１】
複数の種目が含まれる競技における選手の健康状態を管理するコンピュータに、
前記種目の練習時における前記選手のバイタル情報と、前記種目を識別する種目識別情報とを関連付けて記憶部に記憶し、
前記競技中において前記選手が行っている種目を識別する種目識別情報と、前記選手のバイタル情報とを取得し、
取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する、
処理を実行させるための健康管理プログラム。
【請求項２】
健康状態が異常であると判定された前記選手に関する情報を、前記コンピュータに接続される端末に出力する、ことを特徴とする請求項１に記載の健康管理プログラム。
【請求項３】
前記健康状態が異常であると判定された前記選手を識別する選手識別情報と、前記選手のバイタル情報とを前記端末に出力する、ことを特徴とする請求項２に記載の健康管理プログラム。
【請求項４】
複数の種目が含まれる競技における選手の健康状態を管理する健康管理装置であって、
前記種目の練習時における前記選手のバイタル情報と、前記種目を識別する種目識別情報とを関連付けて記憶する記憶部と、
前記競技中において前記選手が行っている種目を識別する種目識別情報と、前記選手のバイタル情報とを取得する取得部と、
取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する判定部と、
を有する健康管理装置。
【請求項５】
複数の種目が含まれる競技における選手の健康状態を管理するコンピュータが、
前記種目の練習時における前記選手のバイタル情報と、前記種目を識別する種目識別情報とを関連付けて記憶部に記憶し、
前記競技中において前記選手が行っている種目を識別する種目識別情報と、前記選手のバイタル情報とを取得し、
取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する、
処理を実行する健康管理方法。
【発明の詳細な説明】
【技術分野】
【０００１】
本発明は、健康管理プログラム、健康管理装置及び健康管理方法に関する。
【背景技術】
【０００２】
近年、センシング技術により取得したバイタル情報（例えば血圧や心拍数、体温等）を用いて、人の健康状態を判定する技術が知られている。人の健康状態を判定する技術の中には、スポーツ競技の分野に適用されるものがある。
【０００３】
例えば、トレーニング中に取得したバイタル情報を用いて、スポーツ競技中の選手の健康状態を判定する技術が知られている。このような技術では、例えば、トレーニング中に取得したバイタル情報の平均値等を算出した上で、スポーツ競技中の選手から取得したバイタル情報と、算出した平均値等とを比較することで、選手の健康状態を判定する。
【先行技術文献】
【特許文献】
【０００４】
【特許文献１】特開２０１２−２１６２０８号公報
【特許文献２】特開２００５−１１５７９９号公報
【特許文献３】国際公開第２００４／０１５６０６号
【発明の概要】
【発明が解決しようとする課題】
【０００５】
ここで、スポーツ競技（以下、単に「競技」と表す。）には、複数の種目が含まれるものがある。例えば、水泳（スイム）、自転車ロードレース（バイク）及び長距離走（ラン）の３つの種目を連続して行うトライアスロンと呼ばれる競技がある。
【０００６】
このような複数の種目が含まれる競技では、選手は、種目毎にトレーニング（練習）を行う場合が多い。すなわち、例えば、ある日はスイムの練習だけを行い、別のある日にはバイクの練習だけを行い、また別のある日にはランの練習だけを行う等である。
【０００７】
したがって、複数の種目が含まれる競技では、練習中に取得したバイタル情報を用いて、競技中の選手の健康状態を適切に判定することができない場合がある。例えば、スイム、バイク及びランの練習中にそれぞれ取得した３種目のバイタル情報の平均値を算出した上で、バイクの種目を行っている選手から取得したバイタル情報と、算出した平均値とを比較する場合、当該選手の健康状態を適切に判定できないことがある。
【０００８】
開示の技術は、複数の種目が含まれる競技を行っている人の健康状態を適切に判定することを目的としている。
【課題を解決するための手段】
【０００９】
開示の技術は、複数の種目が含まれる競技における選手の健康状態を管理するコンピュータに、前記種目の練習時における前記選手のバイタル情報と、前記種目を識別する種目識別情報とを関連付けて記憶部に記憶し、前記競技中において前記選手が行っている種目を識別する種目識別情報と、前記選手のバイタル情報とを取得し、取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する、処理を実行させる。
【発明の効果】
【００１０】
複数の種目が含まれる競技を行っている人の健康状態を適切に判定することができる。
【図面の簡単な説明】
【００１１】
【図１】本実施形態に係る健康管理システムの全体構成の一例を示す図である。
【図２】本実施形態に係る健康管理システムの処理の概要を説明する図である。
【図３】本実施形態に係る健康管理装置、練習環境端末及び監視員端末の一例のハードウェア構成を示す図である。
【図４】本実施形態に係るウェアラブル端末の一例のハードウェア構成を示す図である。
【図５】本実施形態に係る種目通知装置の一例のハードウェア構成を示す図である。
【図６】本実施形態に係る健康管理システムの機能構成の一例を示す図である。
【図７】練習時バイタル情報記憶部に記憶されている練習時バイタル情報の一例を示す図である。
【図８】コンディション判定情報記憶部に記憶されているコンディション判定情報の一例を示す図である。
【図９】現在種目情報記憶部に記憶されている現在種目情報の一例を示す図である。
【図１０】練習時バイタル情報を格納する処理の一例を示すシーケンス図である。
【図１１】練習開始及び練習終了の受付画面の一例を示す図である。
【図１２】練習履歴情報記憶部に記憶されている練習履歴情報の一例を示す図である。
【図１３】選手情報記憶部に記憶されている選手情報の一例を示す図である。
【図１４】コンディションが異常の選手がいることを示す警告画面を表示する処理の一例を示すシーケンス図である。
【図１５】コンディションが異常の選手がいることを示す警告画面の一例を示す図である。
【図１６】選手の詳細画面の一例を示す図である。
【図１７】異常の選手がいることを示す警告画面の他の例を示す図である。
【図１８】コンディション判定情報を作成及び格納する処理の一例を説明する図である。
【図１９】現在種目情報を作成又は更新する処理の一例を示すシーケンス図である。
【発明を実施するための形態】
【００１２】
以下、本発明の実施形態について添付の図面を参照しながら説明する。
【００１３】
まず、本実施形態に係る健康管理システム１の全体構成について、図１を参照しながら説明する。図１は、本実施形態に係る健康管理システム１の全体構成の一例を示す図である。
【００１４】
図１に示すように、本実施形態に係る健康管理システム１は、健康管理装置１０と、練習環境Ｅ１と、競技環境Ｅ２とを有し、例えばインターネットや電話回線網等の広域的なネットワークＮを介して通信可能に接続されている。
【００１５】
健康管理装置１０は、複数の種目が含まれる競技を行う選手Ｐの競技中における健康状態（すなわち、選手Ｐの競技中におけるコンディション）を判定する情報処理装置又は情報処理システムである。健康管理装置１０は、当該競技に含まれる種目毎に練習中における選手Ｐのバイタル情報（例えば血圧や心拍数、体温等）を記憶する練習時バイタル情報記憶部１５０を有する。
【００１６】
健康管理装置１０は、練習時バイタル情報記憶部１５０に記憶されている種目毎のバイタル情報を用いて、当該種目を行っている選手Ｐの競技中におけるコンディション（健康状態）を判定する。すなわち、健康管理装置１０は、競技中における選手Ｐのコンディションが異常であるか否かを判定する。
【００１７】
複数の種目が含まれる競技には、例えば、トライアスロンが挙げられる。トライアスロンでは、種目として、例えば、「スイム」、「バイク」及び「ラン」が含まれる。なお、複数の種目が含まれる競技には、トライアスロンの他に、例えば、バイアスロンや近代五種競技、デカスロン等が挙げられる。以降では、一例として、複数の種目が含まれる競技はトライアスロンであるものとして説明する。
【００１８】
練習環境Ｅ１は、例えばスポーツジムやトレーニング施設等であり、選手Ｐが競技の練習を行うための環境である。選手Ｐは、練習環境Ｅ１において、当該選手Ｐのバイタル情報を取得するウェアラブル端末２０を装着等した状態で、競技に含まれる種目の練習を行う。ウェアラブル端末２０は、選手Ｐのバイタル情報を取得するバイタルセンサ等が搭載された機器である。
【００１９】
なお、ウェアラブル端末２０は、例えば、リストバンド型の機器である。ただし、ウェアラブル端末２０は、例えば、アンクルバンド型であっても良いし、選手Ｐに直接に貼り付け又は選手Ｐが着用する服等のウェアに貼り付け等されていても良い。すなわち、ウェアラブル端末２０は、選手Ｐのバイタル情報を取得することができる機器であれば良い。
【００２０】
また、選手Ｐは、複数のウェアラブル端末２０を装着等していても良い。すなわち、選手Ｐは、例えば、バイタル情報として血圧及び体温を取得するウェアラブル端末２０−１と、バイタル情報として心拍数を取得するウェアラブル端末２０−２とを装着等していても良い。
【００２１】
練習環境Ｅ１には、例えばＰＣ（パーソナルコンピュータ）やスマートフォン、タブレット端末等の練習環境端末３０が含まれる。練習環境端末３０は、練習中における選手Ｐのバイタル情報をウェアラブル端末２０から受信する。そして、練習環境端末３０は、ウェアラブル端末２０から受信したバイタル情報と、当該選手Ｐが練習している種目を識別する種目ＩＤ等とを健康管理装置１０に送信する。
【００２２】
これにより、健康管理装置１０の練習時バイタル情報記憶部１５０には、競技に含まれる種目毎に、練習中における選手Ｐのバイタル情報が格納される。
【００２３】
競技環境Ｅ２は、例えば競技会場等であり、選手Ｐが競技を行うための環境である。選手Ｐは、競技環境Ｅ２において、当該選手Ｐのバイタル情報を取得するウェアラブル端末２０を装着等した状態で、複数の種目が含まれる競技を行う。
【００２４】
競技環境Ｅ２には、種目通知装置４０と、監視員端末５０とが含まれる。種目通知装置４０は、例えばスタート地点、フィニッシュ地点及びトランジット地点等に設置されるゲート等に内蔵又は貼り付け等される機器であり、選手Ｐの通過等に応じて当該選手Ｐが行う種目の種目ＩＤを健康管理装置１０に送信する。
【００２５】
種目通知装置４０には、例えば、スタート地点に設置されるゲートに内蔵等される種目通知装置４０−１と、種目「スイム」から種目「バイク」へのトランジット地点に設置されるゲートに内蔵等される種目通知装置４０−２とが含まれる。また、種目通知装置４０には、例えば、種目「バイク」から種目「ラン」へのトランジット地点に設置されるゲートに内蔵等される種目通知装置４０−３と、フィニッシュ（ゴール）地点に設置されるゲートに内蔵等される種目通知装置４０−４とが含まれる。
【００２６】
このとき、種目通知装置４０−１は、選手Ｐの通過等に応じて、種目「スイム」の種目ＩＤを健康管理装置１０に送信する。同様に、種目通知装置４０−２及び種目通知装置４０−３は、選手Ｐの通過等に応じて、それぞれ種目「バイク」の種目ＩＤ及び種目「ラン」の種目ＩＤを健康管理装置１０に送信する。また、種目通知装置４０−４は、選手Ｐの通過等に応じて、例えば、種目ＩＤとして、当該選手Ｐがフィニッシュしたことを示す情報を健康管理装置１０に送信する。
【００２７】
これにより、健康管理装置１０は、競技中の選手Ｐが現在行っている種目（又は当該選手Ｐがフィニッシュしたこと）を管理することができる。なお、種目通知装置４０は、例えば、スタート地点、フィニッシュ地点及びトランジット地点等に設置されるゲートに内蔵又は貼り付け等される場合に限られず、例えば、種目通知装置４０がこれらの地点に設置されていても良い。
【００２８】
監視員端末５０は、例えばＰＣやスマートフォン、タブレット端末等であり、競技中にコンディション（健康状態）が異常と判定された選手Ｐに関する情報を表示する。これにより、監視員端末５０を使用する監視員Ｑは、競技中にコンディションが異常となった選手Ｐの知ることができる。このため、監視員Ｑは、例えば、コンディションが異常となった選手Ｐの競技続行を中止させる等の措置を取ることができる。
【００２９】
ここで、本実施形態に係る健康管理システム１の処理の概要について、図２を参照しながら説明する。図２は、本実施形態に係る健康管理システム１の処理の概要を説明する図である。
【００３０】
Ｓ１）まず、練習環境端末３０は、種目を練習中の選手Ｐが装着等しているウェアラブル端末２０から受信したバイタル情報を健康管理装置１０に送信する。このとき、練習環境端末３０は、当該選手Ｐが練習している種目の種目ＩＤと、当該選手Ｐを識別するユーザＩＤと、当該ウェアラブル端末２０を識別するセンサＩＤと、当該バイタル情報を取得した日時とを健康管理装置１０に送信する。
【００３１】
Ｓ２）健康管理装置１０は、バイタル情報と、ユーザＩＤと、センサＩＤと、日時と、種目ＩＤとを受信すると、これらの情報を関連付けた練習時バイタル情報１５０Ｄを作成して、練習時バイタル情報記憶部１５０に格納する。
【００３２】
このように、健康管理装置１０は、種目毎に、練習中における選手Ｐのバイタル情報を含む練習時バイタル情報１５０Ｄを練習時バイタル情報記憶部１５０に格納する。
【００３３】
Ｓ３）健康管理装置１０は、例えば競技の開始前に、練習時バイタル情報記憶部１５０に記憶されている練習時バイタル情報１５０Ｄからコンディション判定情報１６０Ｄを作成して、コンディション判定情報記憶部１６０に格納する。
【００３４】
ここで、コンディション判定情報１６０Ｄは、例えば、選手Ｐ毎及び種目毎の各バイタル情報の正常範囲（例えば、血圧の正常範囲や心拍数の正常範囲、体温の正常範囲等）を含む情報である。
【００３５】
Ｓ４）健康管理装置１０は、競技中の選手Ｐが装着等しているウェアラブル端末２０からバイタル情報を受信すると、選手Ｐが行っている種目に応じたコンディション判定情報１６０Ｄと、当該バイタル情報とに基づいて、当該選手Ｐのコンディションを判定する。
【００３６】
すなわち、例えば、選手Ｐが種目「スイム」を行っている場合、健康管理装置１０は、選手Ｐの種目「スイム」におけるコンディション判定情報１６０Ｄと、当該選手Ｐが装着等しているウェアラブル端末２０から受信したバイタル情報とを比較する。そして、健康管理装置１０は、当該バイタル情報が、当該コンディション判定情報１６０Ｄに含まれる正常範囲内であるか否かを判定することで、当該選手Ｐのコンディションを判定する。
【００３７】
Ｓ５）監視員端末５０は、上記のＳ４）で健康管理装置１０によりコンディションが異常であると判定された場合、当該健康管理装置１０からの通知に応じて、コンディションが異常であると判定された選手Ｐに関する情報を表示する。
【００３８】
これにより、監視員Ｑは、例えば、コンディションが異常となった選手Ｐの競技続行を中止させる等の措置を取ることができる。
【００３９】
次に、本実施形態に係る健康管理装置１０、練習環境端末３０及び監視員端末５０のハードウェア構成について、図３を参照しながら説明する。図３は、本実施形態に係る健康管理装置１０、練習環境端末３０及び監視員端末５０の一例のハードウェア構成を示す図である。なお、健康管理装置１０、練習環境端末３０及び監視員端末５０は、同様のハードウェア構成を有しているため、以降では、主に、健康管理装置１０のハードウェア構成について説明する。
【００４０】
図３に示すように、本実施形態に係る健康管理装置１０は、入力装置１１と、表示装置１２と、外部Ｉ／Ｆ１３と、通信Ｉ／Ｆ１４と、ＲＯＭ（Read  Only  Memory）１５とを有する。また、本実施形態に係る健康管理装置１０は、ＲＡＭ（Random  Access  Memory）１６と、ＣＰＵ（Central  Processing  Unit）１７と、記憶装置１８とを有する。これら各ハードウェアは、それぞれがバス１９で相互に接続されている。
【００４１】
入力装置１１は、例えば各種ボタンやタッチパネル、キーボード、マウス等であり、健康管理装置１０に各種の操作を入力するのに用いられる。表示装置１２は、例えばディスプレイ等であり、健康管理装置１０による各種の処理結果を表示する。なお、健康管理装置１０は、入力装置１１及び表示装置１２の少なくとも一方を有していなくても良い。
【００４２】
外部Ｉ／Ｆ１３は、外部装置とのインタフェースである。外部装置には、記録媒体１３ａ等がある。健康管理装置１０は、外部Ｉ／Ｆ１３を介して、記録媒体１３ａの読み取りや書き込みを行うことができる。記録媒体１３ａには、例えば、ＳＤメモリカード(SD  memory  card）やＵＳＢメモリ、ＣＤ（Compact  Disk）、ＤＶＤ（Digital  Versatile  Disk）等がある。
【００４３】
通信Ｉ／Ｆ１４は、ネットワークＮを介して、健康管理装置１０が他の装置（例えば、練習環境端末３０や監視員端末５０、ウェアラブル端末２０等）とデータ通信を行うためのインタフェースである。
【００４４】
ＲＯＭ１５は、電源を切ってもデータを保持することができる不揮発性の半導体メモリである。ＲＡＭ１６は、プログラムやデータを一時保持する揮発性の半導体メモリである。ＣＰＵ１７は、例えば記憶装置１８やＲＯＭ１５からプログラムやデータをＲＡＭ１６上に読み出して、各種処理を実行する演算装置である。
【００４５】
記憶装置１８は、例えばＨＤＤ（Hard  Disk  Drive）やＳＳＤ（Solid  State  Drive）等であり、プログラムやデータを格納している不揮発性のメモリである。記憶装置１８に格納されているプログラムやデータには、例えば、本実施形態を実現するプログラムや基本ソフトウェアであるＯＳ（Operating  System）、ＯＳ上で動作する各種アプリケーションプログラム等がある。
【００４６】
本実施形態に係る健康管理装置１０、練習環境端末３０及び監視員端末５０は、図３に示すハードウェア構成を有することにより、後述する各種処理を実現することができる。
【００４７】
次に、本実施形態に係るウェアラブル端末２０のハードウェア構成について、図４を参照しながら説明する。図４は、本実施形態に係るウェアラブル端末２０の一例のハードウェア構成を示す図である。
【００４８】
図４に示すように、本実施形態に係るウェアラブル端末２０は、通信Ｉ／Ｆ２１と、ＲＯＭ２２と、ＲＡＭ２３と、ＣＰＵ２４と、記憶装置２５と、バイタルセンサ２６とを有する。これら各ハードウェアは、それぞれがバス２７で相互に接続されている。
【００４９】
通信Ｉ／Ｆ２１は、ウェアラブル端末２０が他の装置（例えば、健康管理装置１０や練習環境端末３０、種目通知装置４０等）とデータ通信を行うためのインタフェースである。
【００５０】
ＲＯＭ２２は、電源を切ってもデータを保持することができる不揮発性の半導体メモリである。ＲＡＭ２３は、プログラムやデータを一時保持する揮発性の半導体メモリである。ＣＰＵ２４は、例えば記憶装置２５やＲＯＭ２２からプログラムやデータをＲＡＭ２３上に読み出して、各種処理を実行する演算装置である。
【００５１】
記憶装置２５は、例えばフラッシュメモリ等であり、プログラムやデータを格納している不揮発性のメモリである。記憶装置２５に格納されているプログラムやデータには、例えば、本実施形態を実現するプログラムや基本ソフトウェアであるＯＳ、ＯＳ上で動作する各種アプリケーションプログラム等がある。
【００５２】
バイタルセンサ２６は、ウェアラブル端末２０を装着等している選手Ｐのバイタル情報（例えば血圧や心拍数、体温等）を取得する各種センサである。
【００５３】
本実施形態に係るウェアラブル端末２０は、図４に示すハードウェア構成を有することにより、後述する各種処理を実現することができる。
【００５４】
次に、本実施形態に係る種目通知装置４０のハードウェア構成について、図５を参照しながら説明する。図５は、本実施形態に係る種目通知装置４０の一例のハードウェア構成を示す図である。
【００５５】
図５に示すように、本実施形態に係る種目通知装置４０は、通信Ｉ／Ｆ４１と、ＲＯＭ４２と、ＲＡＭ４３と、ＣＰＵ４４と、記憶装置４５とを有する。これら各ハードウェアは、それぞれがバス４６で相互に接続されている。
【００５６】
通信Ｉ／Ｆ４１は、種目通知装置４０が他の装置（例えば、健康管理装置１０やウェアラブル端末２０等）とデータ通信を行うためのインタフェースである。
【００５７】
ＲＯＭ４２は、電源を切ってもデータを保持することができる不揮発性の半導体メモリである。ＲＡＭ４３は、プログラムやデータを一時保持する揮発性の半導体メモリである。ＣＰＵ４４は、例えば記憶装置４５やＲＯＭ４２からプログラムやデータをＲＡＭ４３上に読み出して、各種処理を実行する演算装置である。
【００５８】
記憶装置４５は、例えばフラッシュメモリ等であり、プログラムやデータを格納している不揮発性のメモリである。記憶装置４５に格納されているプログラムやデータには、例えば、本実施形態を実現するプログラムや基本ソフトウェアであるＯＳ、ＯＳ上で動作する各種アプリケーションプログラム等がある。
【００５９】
本実施形態に係る種目通知装置４０は、図５に示すハードウェア構成を有することにより、後述する各種処理を実現することができる。
【００６０】
次に、本実施形態に係る健康管理システム１の機能構成について、図６を参照しながら説明する。図６は、本実施形態に係る健康管理システム１の機能構成の一例を示す図である。
【００６１】
図６に示すように、本実施形態に係るウェアラブル端末２０は、バイタル情報取得部２０１と、バイタル情報送信部２０２と、ユーザＩＤ送信部２０３とを有する。これら各機能部は、ウェアラブル端末２０にインストールされた１以上のプログラムが、ＣＰＵ２４に実行させる処理により実現される。
【００６２】
また、本実施形態に係るウェアラブル端末２０は、ユーザＩＤ２０４を有する。ユーザＩＤ２０４は、例えば記憶装置２５に記憶されている。
【００６３】
バイタル情報取得部２０１は、選手Ｐのバイタル情報（例えば血圧や心拍数、体温等）を取得する。
【００６４】
バイタル情報送信部２０２は、バイタル情報取得部２０１が取得したバイタル情報と、ユーザＩＤ２０４とを、練習環境端末３０又は健康管理装置１０に送信する。すなわち、バイタル情報送信部２０２は、ウェアラブル端末２０を装着等している選手Ｐが練習環境Ｅ１にいる場合、バイタル情報取得部２０１が取得したバイタル情報と、ユーザＩＤ２０４とを練習環境端末３０に送信する。一方で、バイタル情報送信部２０２は、ウェアラブル端末２０を装着等している選手Ｐが競技環境Ｅ２にいる場合、バイタル情報取得部２０１が取得したバイタル情報と、ユーザＩＤ２０４とを健康管理装置１０に送信する。
【００６５】
ユーザＩＤ送信部２０３は、例えば種目通知装置４０を選手Ｐが通過等する際に、ユーザＩＤ２０４を当該種目通知装置４０に送信する。ユーザＩＤ２０４は、ウェアラブル端末２０を装着等している選手Ｐを識別するユーザＩＤである。
【００６６】
図６に示すように、本実施形態に係る練習環境端末３０は、入力受付部３０１と、表示制御部３０２と、バイタル情報受信部３０３と、練習履歴情報作成部３０４と、選手管理部３０５と、練習履歴管理部３０６と、バイタル情報送信部３０７とを有する。これら各機能部は、練習環境端末３０にインストールされた１以上のプログラムが、ＣＰＵ１７に実行させる処理により実現される。
【００６７】
また、本実施形態に係る練習環境端末３０は、選手情報記憶部３５０と、練習履歴情報記憶部３６０とを有する。これら各記憶部は、例えば記憶装置１８等を用いて実現可能である。なお、選手情報記憶部３５０及び練習履歴情報記憶部３６０の少なくとも一方の記憶部が、練習環境端末３０とネットワークを介して接続される記憶装置等を用いて実現されていても良い。
【００６８】
入力受付部３０１は、各種操作の入力を受け付ける。例えば、入力受付部３０１は、練習環境Ｅ１において選手Ｐが練習を開始するための操作（練習開始操作）の入力等を受け付ける。
【００６９】
表示制御部３０２は、各種画面を表示する。例えば、表示制御部３０２は、練習環境Ｅ１において選手Ｐが練習の開始又は終了するための画面（練習開始及び練習終了の受付画面）を表示する。
【００７０】
バイタル情報受信部３０３は、バイタル情報と、ユーザＩＤとをウェアラブル端末２０から受信する。すなわち、バイタル情報受信部３０３は、練習を行っている選手Ｐのバイタル情報と、当該選手ＰのユーザＩＤとをウェアラブル端末２０から受信する。
【００７１】
練習履歴情報作成部３０４は、入力受付部３０１が練習開始操作を受け付けると、練習履歴情報３６０Ｄを作成する。練習履歴情報３６０Ｄとは、練習を行った選手ＰのユーザＩＤや練習を行った種目の種目ＩＤ等が含まれる情報である。
【００７２】
選手管理部３０５は、選手情報記憶部３５０に記憶されている選手情報３５０Ｄを管理する。すなわち、選手管理部３０５は、選手情報記憶部３５０に記憶されている選手情報３５０Ｄの取得、選手情報３５０Ｄの選手情報記憶部３５０への格納等を行う。
【００７３】
練習履歴管理部３０６は、練習履歴情報記憶部３６０に記憶されている練習履歴情報３６０Ｄを管理する。すなわち、練習履歴管理部３０６は、練習履歴情報記憶部３６０に記憶されている練習履歴情報３６０Ｄの取得、練習履歴情報３６０Ｄの練習履歴情報記憶部３６０への格納等を行う。
【００７４】
バイタル情報送信部３０７は、バイタル情報受信部３０３が受信したバイタル情報及びユーザＩＤと、選手Ｐが練習を行っている種目の種目ＩＤとを健康管理装置１０に送信する。また、このとき、バイタル情報送信部３０７は、選手Ｐが装着等しているウェアラブル端末２０のセンサＩＤと、当該バイタル情報を受信した日時とを健康管理装置１０に送信する。
【００７５】
選手情報記憶部３５０は、選手情報３５０Ｄを記憶する。選手情報記憶部３５０に記憶されている選手情報３５０Ｄの詳細については後述する。
【００７６】
練習履歴情報記憶部３６０は、練習履歴情報３６０Ｄを記憶する。練習履歴情報記憶部３６０に記憶されている練習履歴情報３６０Ｄの詳細については後述する。
【００７７】
図６に示すように、本実施形態に係る種目通知装置４０は、ユーザＩＤ受信部４０１と、種目ＩＤ送信部４０２とを有する。これら各機能部は、種目通知装置４０にインストールされた１以上のプログラムが、ＣＰＵ４４に実行させる処理により実現される。
【００７８】
また、本実施形態に係る種目通知装置４０は、種目ＩＤ４０３を有する。種目ＩＤ４０３は、例えば記憶装置４５に記憶されている。
【００７９】
ユーザＩＤ受信部４０１は、ユーザＩＤをウェアラブル端末２０から受信する。種目ＩＤ送信部４０２は、ユーザＩＤ受信部４０１がユーザＩＤを受信すると、当該ユーザＩＤと、種目ＩＤ４０３とを健康管理装置１０に送信する。
【００８０】
種目ＩＤ４０３は、種目通知装置４０毎に予め決められた種目の種目ＩＤである。例えば、スタート地点に設置されるゲートに内蔵等される種目通知装置４０−１には、種目ＩＤ４０３として、種目「スイム」の種目ＩＤ「ＳＷＩＭ」が設定される。
【００８１】
また、例えば、種目「スイム」から種目「バイク」へのトランジット地点に設置されるゲートに内蔵等される種目通知装置４０−２には、種目ＩＤ４０３として、種目「バイク」の種目ＩＤ「ＢＩＫＥ」が設定される。同様に、例えば、種目「バイク」から種目「ラン」へのトランジット地点に設置されるゲートに内蔵等される種目通知装置４０−３には、種目ＩＤとして、種目「ラン」の種目ＩＤ「ＲＵＮ」が設定される。
【００８２】
更に、例えば、フィニッシュ地点に設置されるゲートに内蔵等される種目通知装置４０−４には、種目ＩＤ４０３として、選手Ｐがフィニッシュ（ゴール）したことを示す種目ＩＤ「ＦＩＮＩＳＨ」が設定される。
【００８３】
図６に示すように、本実施形態に係る監視員端末５０は、ユーザＩＤ受信部５０１と、表示制御部５０２とを有する。当該機能部は、監視員端末５０にインストールされた１以上のプログラムが、ＣＰＵ１７に実行させる処理により実現される。
【００８４】
ユーザＩＤ受信部５０１は、コンディション（健康状態）が異常と判定された選手ＰのユーザＩＤと、当該選手Ｐのバイタル情報とを健康管理装置１０から受信する。
【００８５】
表示制御部５０２は、ユーザＩＤ受信部５０１が受信したユーザＩＤ及びバイタル情報に基づいて、コンディションが異常と判定された選手Ｐがいることを監視員Ｑに警告するための警告画面を表示する。
【００８６】
図６に示すように、本実施形態に係る健康管理装置１０は、練習時バイタル情報受信部１０１と、練習時バイタル情報作成部１０２と、練習時バイタル管理部１０３と、判定情報作成部１０４と、コンディション判定管理部１０５とを有する。また、本実施形態に係る健康管理装置１０は、バイタル情報受信部１０６と、コンディション判定部１０７と、通知部１０８と、種目ＩＤ受信部１０９と、現在種目情報作成部１１０と、現在種目管理部１１１とを有する。これら各機能部は、健康管理装置１０にインストールされた１以上のプログラムが、ＣＰＵ１７に実行させる処理により実現される。
【００８７】
また、本実施形態に係る健康管理装置１０は、練習時バイタル情報記憶部１５０と、コンディション判定情報記憶部１６０と、現在種目情報記憶部１７０とを有する。これら各記憶部は、例えば記憶装置１８等を用いて実現可能である。なお、練習時バイタル情報記憶部１５０、コンディション判定情報記憶部１６０及び現在種目情報記憶部１７０の少なくとも一方の記憶部が、健康管理装置１０とネットワークを介して接続される記憶装置等を用いて実現されていても良い。
【００８８】
練習時バイタル情報受信部１０１は、バイタル情報と、ユーザＩＤと、センサＩＤと、日時と、種目ＩＤとを練習環境端末３０から受信する。
【００８９】
練習時バイタル情報作成部１０２は、練習時バイタル情報受信部１０１が受信した情報（バイタル情報、ユーザＩＤ、センサＩＤ、日時及び種目ＩＤ）から練習時バイタル情報１５０Ｄを作成する。
【００９０】
練習時バイタル管理部１０３は、練習時バイタル情報記憶部１５０に記憶されている練習時バイタル情報１５０Ｄを管理する。すなわち、練習時バイタル管理部１０３は、練習時バイタル情報記憶部１５０に記憶されている練習時バイタル情報１５０Ｄの取得、練習時バイタル情報１５０Ｄの練習時バイタル情報記憶部１５０への格納等を行う。
【００９１】
判定情報作成部１０４は、練習時バイタル管理部１０３により取得された練習時バイタル情報１５０Ｄに基づいて、選手Ｐ毎及び種目毎のコンディション判定情報１６０Ｄを作成する。判定情報作成部１０４は、例えば、ユーザＩＤ毎に、同一の種目ＩＤの練習時バイタル情報１５０Ｄに含まれる各バイタル情報の正常範囲を算出することで、コンディション判定情報１６０Ｄを作成する。
【００９２】
コンディション判定管理部１０５は、コンディション判定情報記憶部１６０に記憶されているコンディション判定情報１６０Ｄを管理する。すなわち、コンディション判定管理部１０５は、コンディション判定情報記憶部１６０に記憶されているコンディション判定情報１６０Ｄの取得、コンディション判定情報１６０Ｄのコンディション判定情報記憶部１６０への格納等を行う。
【００９３】
バイタル情報受信部１０６は、バイタル情報と、ユーザＩＤとをウェアラブル端末２０から受信する。すなわち、バイタル情報受信部１０６は、競技を行っている選手Ｐのバイタル情報と、当該選手ＰのユーザＩＤとをウェアラブル端末２０から受信する。
【００９４】
コンディション判定部１０７は、バイタル情報受信部１０６が受信したバイタル情報に基づいて、選手Ｐのコンディションが異常であるか否かを判定する。すなわち、コンディション判定部１０７は、バイタル情報受信部１０６が受信したバイタル情報が、当該選手Ｐが現在行っている種目のコンディション判定情報１６０Ｄに含まれる正常範囲内であるか否かを判定する。なお、コンディション判定部１０７は、判定部の一例である。
【００９５】
通知部１０８は、コンディション判定部１０７によりコンディションが異常であると判定された選手Ｐが存在する場合、当該選手ＰのユーザＩＤとバイタル情報とを監視員端末５０に送信する。
【００９６】
種目ＩＤ受信部１０９は、種目ＩＤと、ユーザＩＤとを種目通知装置４０から受信する。現在種目情報作成部１１０は、ユーザＩＤ毎に、選手Ｐが現在行っている種目の種目ＩＤが含まれる現在種目情報１７０Ｄを作成する。
【００９７】
現在種目管理部１１１は、現在種目情報記憶部１７０に記憶されている現在種目情報１７０Ｄを管理する。すなわち、現在種目管理部１１１は、現在種目情報記憶部１７０に記憶されている現在種目情報１７０Ｄの取得や更新、現在種目情報１７０Ｄの現在種目情報記憶部１７０への格納等を行う。なお、バイタル情報受信部１０６及び現在種目管理部１１１は、取得部の一例である。
【００９８】
練習時バイタル情報記憶部１５０は、練習時バイタル情報１５０Ｄを記憶する。なお、練習時バイタル情報記憶部１５０は、記憶部の一例である。
【００９９】
ここで、練習時バイタル情報記憶部１５０に記憶されている練習時バイタル情報１５０Ｄについて、図７を参照しながら説明する。図７は、練習時バイタル情報記憶部１５０に記憶されている練習時バイタル情報１５０Ｄの一例を示す図である。
【０１００】
図７に示すように、練習時バイタル情報記憶部１５０には、種目ＩＤ毎に、練習時バイタル情報１５０Ｄが記憶されている。すなわち、練習時バイタル情報記憶部１５０には、例えば、種目ＩＤ「ＳＷＩＭ」の練習時バイタル情報１５０Ｄと、種目ＩＤ「ＢＩＫＥ」の練習時バイタル情報１５０Ｄと、種目ＩＤ「ＲＵＮ」の練習時バイタル情報１５０Ｄとが記憶されている。
【０１０１】
また、練習時バイタル情報１５０Ｄには、ユーザＩＤと、センサＩＤと、日時と、バイタル情報（例えば血圧、心拍数及び体温等）とが関連付けられている。
【０１０２】
このように、練習時バイタル情報記憶部１５０には、種目ＩＤ毎に練習時バイタル情報１５０Ｄが記憶されている。なお、練習時バイタル情報１５０Ｄには、バイタル情報として、血圧、心拍数及び体温が含まれているが、バイタル情報はこれらに限られない。バイタル情報には、例えば、睡眠情報（睡眠時間等）、食事情報（摂取カロリー、栄養素等）等の種々の情報が含まれていても良い。
【０１０３】
コンディション判定情報記憶部１６０は、コンディション判定情報１６０Ｄを記憶する。ここで、コンディション判定情報記憶部１６０に記憶されているコンディション判定情報１６０Ｄについて、図８を参照しながら説明する。図８は、コンディション判定情報記憶部１６０に記憶されているコンディション判定情報１６０Ｄの一例を示す図である。
【０１０４】
図８に示すように、コンディション判定情報記憶部１６０には、ユーザＩＤ毎に、コンディション判定情報１６０Ｄが記憶されている。
【０１０５】
また、コンディション判定情報１６０Ｄには、種目ＩＤと、正常範囲とが関連付けられている。すなわち、コンディション判定情報１６０Ｄは、種目ＩＤ毎のバイタル情報（例えば血圧、心拍数及び体温等）の正常範囲が含まれる情報である。
【０１０６】
例えば、ユーザＩＤ「Ｕ００１」における種目ＩＤ「ＳＷＩＭ」のコンディション判定情報１６０Ｄには、血圧の正常範囲「１３０±１０」、心拍数の正常範囲「７０±５」、体温の正常範囲「３６±０．５」等が含まれている。同様に、例えば、ユーザＩＤ「Ｕ００１」における種目ＩＤ「ＢＩＫＥ」のコンディション判定情報１６０Ｄには、血圧の正常範囲「１３３±１０」、心拍数の正常範囲「７４±５」、体温の正常範囲「３６．５±０．５」等が含まれている。また、同様に、例えば、ユーザＩＤ「Ｕ００１」における種目ＩＤ「ＲＵＮ」のコンディション判定情報１６０Ｄには、血圧の正常範囲「１３５±１０」、心拍数の正常範囲「８０±５」、体温の正常範囲「３７±０．５」等が含まれている。
【０１０７】
このように、コンディション判定情報記憶部１６０には、ユーザＩＤ毎に、種目ＩＤ毎のコンディション判定情報１６０Ｄが記憶されている。
【０１０８】
現在種目情報記憶部１７０は、現在種目情報１７０Ｄを記憶する。ここで、現在種目情報記憶部１７０に記憶されている現在種目情報１７０Ｄについて、図９を参照しながら説明する。図９は、現在種目情報記憶部１７０に記憶されている現在種目情報１７０Ｄの一例を示す図である。
【０１０９】
図９に示すように、現在種目情報記憶部１７０には、ユーザＩＤと種目ＩＤとが関連付けられた現在種目情報１７０Ｄが記憶されている。ここで、現在種目情報１７０Ｄに含まれる種目ＩＤは、当該種目ＩＤに関連付けられているユーザＩＤの選手Ｐが現在行っている種目の種目ＩＤである。
【０１１０】
すなわち、現在種目情報１７０Ｄは、ユーザＩＤ毎に、当該ユーザＩＤの選手Ｐが現在行っている種目の種目ＩＤが関連付けられた情報である。
【０１１１】
このように、現在種目情報記憶部１７０には、ユーザＩＤ毎の現在種目情報１７０Ｄが記憶されている。
【０１１２】
次に、本実施形態に係る健康管理システム１の処理の詳細について説明する。まず、練習時バイタル情報１５０Ｄを練習時バイタル情報記憶部１５０に格納する処理について、図１０を参照しながら説明する。図１０は、練習時バイタル情報１５０Ｄを格納する処理の一例を示すシーケンス図である。
【０１１３】
練習環境端末３０の入力受付部３０１は、練習開始操作の入力を受け付ける（ステップＳ１００１）。ここで、選手Ｐは、練習環境端末３０の表示制御部３０２により表示された、図１１に示す練習開始及び練習終了の受付画面Ｇ１００において、練習開始操作を行うことができる。
【０１１４】
図１１に示す練習開始及び練習終了の受付画面Ｇ１００には、ユーザＩＤ入力欄Ｇ１０１と、練習種目選択欄Ｇ１０２と、練習開始ボタンＧ１０３と、練習終了ボタンＧ１０４とが含まれる。選手Ｐは、ユーザＩＤ入力欄Ｇ１０１に自身のユーザＩＤを入力すると共に、自身が練習を行う種目の種目ＩＤを練習種目選択欄Ｇ１０２から選択した上で、練習開始ボタンＧ１０３を押下することで、練習開始操作を行うことができる。なお、図１１に示す「ステータス」は、開始ボタンＧ１０３が押下されるまでは「未使用」、開始ボタンＧ１０３の押下後、終了ボタンＧ１０４が押下されるまでは「使用中」となる。
【０１１５】
なお、選手Ｐは、例えば、自身のユーザＩＤが記憶されたＩＣ（Integrated  Circuit）カード等を、練習環境端末３０に接続されたＩＣカードリーダ等にかざすことにより、ユーザＩＤ入力欄Ｇ１０１にユーザＩＤを入力しても良い。
【０１１６】
次に、練習環境端末３０の練習履歴情報作成部３０４は、入力受付部３０１が練習開始操作を受け付けると、練習履歴情報３６０Ｄを作成する（ステップＳ１００２）。
【０１１７】
次に、練習環境端末３０の練習履歴管理部３０６は、練習履歴情報作成部３０４が作成した練習履歴情報３６０Ｄを練習履歴情報記憶部３６０に格納する（ステップＳ１００３）。
【０１１８】
ここで、練習履歴情報記憶部３６０に記憶されている練習履歴情報３６０Ｄについて、図１２を参照しながら説明する。図１２は、練習履歴情報記憶部３６０に記憶されている練習履歴情報３６０Ｄの一例を示す図である。
【０１１９】
図１２に示すように、練習履歴情報記憶部３６０には、ユーザＩＤと、種目ＩＤと、開始日時と、終了日時とが関連付けられた練習履歴情報３６０Ｄが記憶されている。
【０１２０】
ここで、練習履歴情報３６０Ｄに含まれるユーザＩＤは、ユーザＩＤ入力欄Ｇ１０１に入力されたユーザＩＤである。また、練習履歴情報３６０Ｄに含まれる種目ＩＤは、練習種目選択欄Ｇ１０２から選択された種目ＩＤである。また、練習履歴情報３６０Ｄに含まれる開始日時は、練習開始ボタンＧ１０３が押下された日時（すなわち、練習開始操作が行われた日時）である。更に、練習履歴情報３６０Ｄに含まれる終了日時は、後述するように、練習終了ボタンＧ１０４が押下された日時（すなわち、練習終了操作が行われた日時）である。
【０１２１】
このように、練習履歴情報記憶部３６０には、選手Ｐが練習を行った履歴である練習履歴情報３６０Ｄが記憶されている。なお、上記のステップＳ１００２において、練習履歴情報作成部３０４は、例えば、終了日時にブランク又はＮＵＬＬを設定した練習履歴情報３６０Ｄする。
【０１２２】
図１０に戻る。選手Ｐが練習を行っている間、以降のステップＳ１００４〜ステップＳ１０１０の処理が行われる。
【０１２３】
まず、ウェアラブル端末２０のバイタル情報取得部２０１は、所定の間隔毎に、練習中の選手Ｐのバイタル情報（例えば血圧や心拍数、体温等）を取得する（ステップＳ１００４）。
【０１２４】
次に、ウェアラブル端末２０のバイタル情報送信部２０２は、バイタル情報取得部２０１が取得したバイタル情報と、ユーザＩＤ２０４とを練習環境端末３０に送信する（ステップＳ１００５）。なお、ウェアラブル端末２０のバイタル情報送信部２０２は、例えば、Ｂｌｕｅｔｏｏｔｈ（登録商標）等を用いて、バイタル情報とユーザＩＤ２０４とを練習環境端末３０に送信すれば良い。
【０１２５】
練習環境端末３０の練習履歴管理部３０６は、バイタル情報受信部３０３がバイタル情報及びユーザＩＤを受信すると、上記のステップＳ１００２で練習履歴情報作成部３０４が作成した練習履歴情報３６０Ｄに含まれる種目ＩＤを取得する（ステップＳ１００６）。
【０１２６】
なお、練習履歴管理部３０６は、例えば、練習履歴情報記憶部３６０に記憶されている練習履歴情報３６０Ｄのうち、バイタル情報受信部３０３が受信したユーザＩＤが含まれ、かつ、終了日時がブランク等である練習履歴情報３６０Ｄから種目ＩＤを取得しても良い。又は、練習履歴管理部３０６は、例えば、練習履歴情報記憶部３６０に記憶されている練習履歴情報３６０Ｄのうち、バイタル情報受信部３０３が受信したユーザＩＤが含まれ、かつ、開始日時に最新である練習履歴情報３６０Ｄから種目ＩＤを取得しても良い。
【０１２７】
次に、練習環境端末３０の選手管理部３０５は、選手情報記憶部３５０に記憶されている選手情報３５０ＤからセンサＩＤを取得する（ステップＳ１００７）。
【０１２８】
ここで、選手情報記憶部３５０に記憶されている選手情報３５０Ｄについて、図１３を参照しながら説明する。図１３は、選手情報記憶部３５０に記憶されている選手情報３５０Ｄの一例を示す図である。
【０１２９】
図１３に示すように、選手情報記憶部３５０には、ユーザＩＤと、センサＩＤと、属性情報とが関連付けられた選手情報３５０Ｄが記憶されている。ここで、選手情報３５０Ｄに含まれるセンサＩＤは、ユーザＩＤにより識別される選手Ｐが装着等しているウェアラブル端末２０（言い換えれば、選手Ｐが利用するウェアラブル端末２０）を識別する識別情報である。また、選手情報３５０Ｄに含まれる属性情報は、例えば、ユーザＩＤにより識別される選手Ｐの住所や電話番号等の選手Ｐの属性に関する情報である。なお、属性情報には、例えば、選手Ｐの身長や体重、血液型等が含まれていても良い。
【０１３０】
このように、選手情報記憶部３５０には、選手Ｐが装着等しているウェアラブル端末２０のセンサＩＤが含まれる選手情報３５０Ｄが記憶されている。したがって、選手管理部３０５は、上記のステップＳ１００７で、選手情報記憶部３５０に記憶されている選手情報３５０Ｄのうち、バイタル情報受信部３０３が受信したユーザＩＤを含む選手情報３５０ＤからセンサＩＤを取得する。
【０１３１】
図１０に戻る。ステップＳ１００７に続いて、練習環境端末３０のバイタル情報送信部３０７は、バイタル情報と、ユーザＩＤと、選手ＩＤと、センサＩＤと、日時と、種目ＩＤとを健康管理装置１０に送信する（ステップＳ１００８）。なお、日時は、例えば、バイタル情報受信部３０３がバイタル情報及びユーザＩＤをウェアラブル端末２０から受信した日及び時刻とすれば良い。日時は、バイタル情報送信部３０７がバイタル情報等を健康管理装置１０に送信する日及び時刻であっても良い。
【０１３２】
健康管理装置１０の練習時バイタル情報作成部１０２は、バイタル情報と、ユーザＩＤと、選手ＩＤと、センサＩＤと、日時と、種目ＩＤとを練習時バイタル情報受信部１０１が受信すると、練習時バイタル情報１５０Ｄを作成する（ステップＳ１００９）。すなわち、練習時バイタル情報作成部１０２は、バイタル情報と、ユーザＩＤと、選手ＩＤと、センサＩＤと、日時と、種目ＩＤとを関連付けた練習時バイタル情報１５０Ｄを作成する。
【０１３３】
健康管理装置１０の練習時バイタル管理部１０３は、練習時バイタル情報作成部１０２が作成した練習時バイタル情報１５０Ｄを練習時バイタル情報記憶部１５０に格納する（ステップＳ１０１０）。すなわち、練習時バイタル管理部１０３は、種目毎に、練習時バイタル情報１５０Ｄを練習時バイタル情報記憶部１５０に格納する。
【０１３４】
ここで、選手Ｐが練習を終了する場合、図１１に示す練習開始及び練習終了の受付画面Ｇ１００において、選手Ｐは、練習終了ボタンＧ１０４を押下して、練習終了操作を行う。すると、練習環境端末３０の入力受付部３０１は、練習終了操作の入力を受け付ける（ステップＳ１０１１）。
【０１３５】
次に、練習環境端末３０の練習履歴管理部３０６は、入力受付部３０１が練習終了操作を受け付けると、練習履歴情報３６０Ｄを更新する（ステップＳ１０１１）すなわち、練習履歴管理部３０６は、上記のステップＳ１００３で練習履歴情報記憶部３６０に格納された練習履歴情報３６０Ｄの終了日時に、練習終了操作が行われた日時を設定する。
【０１３６】
以上により、本実施形態に係る健康管理システム１では、種目毎に練習に行っている選手Ｐのバイタル情報を、当該種目毎に蓄積することができる。なお、図１０に示す例では、練習環境端末３０は、ウェアラブル端末２０からバイタル情報等を受信すると、当該バイタル情報等を健康管理装置１０に送信するものとしたが、これに限られない。練習環境端末３０は、例えば、選手Ｐから練習終了操作を受け付けた後に、練習中にウェアラブル端末２０から受信したバイタル情報等を健康管理装置１０に送信しても良い。また、練習環境端末３０は、例えば、所定の期間（例えば１週間）の間、ウェアラブル端末２０から受信したバイタル情報等を蓄積した上で、当該蓄積したバイタル情報等を所定のタイミング（例えば１週間経過時）に健康管理装置１０に送信しても良い。
【０１３７】
次に、選手Ｐが競技を行っている場合において、監視員Ｑの監視員端末５０に警告画面（コンディションが異常の選手Ｐがいることを示す警告画面）を表示する処理について、図１４を参照しながら説明する。図１４は、コンディションが異常の選手Ｐがいることを示す警告画面を表示する処理の一例を示すシーケンス図である。
【０１３８】
まず、競技の開始前に、健康管理装置１０は、コンディション判定情報１６０Ｄを作成及び格納する処理を行う（ステップＳ１４０１）。すなわち、健康管理装置１０は、選手ＰのユーザＩＤ毎に、種目ＩＤ毎のコンディション判定情報１６０Ｄを作成して、コンディション判定情報記憶部１６０に格納する。コンディション判定情報１６０Ｄを作成及び格納する処理の詳細については後述する。
【０１３９】
選手Ｐが競技を行っている間、以降のステップＳ１４０２〜ステップＳ１４０８の処理が行われる。
【０１４０】
まず、ウェアラブル端末２０のバイタル情報取得部２０１は、所定の間隔毎に、競技中の選手Ｐのバイタル情報（例えば血圧や心拍数、体温等）を取得する（ステップＳ１４０２）。
【０１４１】
次に、ウェアラブル端末２０のバイタル情報送信部２０２は、バイタル情報取得部２０１が取得したバイタル情報と、ユーザＩＤ２０４とを健康管理装置１０に送信する（ステップＳ１４０３）。
【０１４２】
健康管理装置１０の現在種目管理部１１１は、バイタル情報受信部１０６がバイタル情報及びユーザＩＤを受信すると、当該ユーザＩＤの選手Ｐが行っている種目の種目ＩＤを取得する（ステップＳ１４０４）。すなわち、現在種目管理部１１１は、現在種目情報記憶部１７０に記憶されている現在種目情報１７０Ｄのうち、当該ユーザＩＤの現在種目情報１７０Ｄから種目ＩＤを取得する。これにより、競技中の選手Ｐが現在行っている種目の種目ＩＤを取得することができる。
【０１４３】
ここで、上記のステップＳ１４０４で取得された種目ＩＤが、選手Ｐがフィニッシュ（ゴール）したことを示す種目ＩＤ「ＦＩＮＩＳＨ」である場合、以降のステップＳ１４０５〜ステップＳ１４０８の処理は行われない。一方で、上記のステップＳ１４０４で取得された種目ＩＤが、選手Ｐがフィニッシュしていないことを示す種目ＩＤ「ＳＷＩＭ」、「ＢＩＫＥ」又は「ＲＵＮ」である場合、次のステップＳ１４０５の処理が行われる。
【０１４４】
健康管理装置１０のコンディション判定管理部１０５は、当該ユーザＩＤ及び種目ＩＤのコンディション判定情報１６０Ｄを取得する（ステップＳ１４０５）。すなわち、コンディション判定管理部１０５は、バイタル情報受信部１０６が受信したユーザＩＤのコンディション判定情報１６０Ｄのうち、現在種目管理部１１１が取得した種目ＩＤを含むコンディション判定情報１６０Ｄを取得する。
【０１４５】
次に、健康管理装置１０のコンディション判定部１０７は、バイタル情報受信部１０６が受信したバイタル情報と、コンディション判定管理部１０５が取得したコンディション判定情報１６０Ｄとに基づいて、選手Ｐのコンディションが異常であるか否かを判定する（ステップＳ１４０６）。
【０１４６】
すなわち、コンディション判定部１０７は、当該バイタル情報「血圧」、「心拍数」及び「体温」等が、当該コンディション判定情報１６０Ｄに含まれる正常範囲内であるか否かを判定する。そして、コンディション判定部１０７は、当該バイタル情報「血圧」、「心拍数」及び「体温」等の少なくとも１つのバイタル情報が正常範囲内でない場合、選手Ｐのコンディションが異常であると判定する。一方で、コンディション判定部１０７は、当該バイタル情報「血圧」、「心拍数」及び「体温」等の全てが正常範囲内である場合、選手Ｐのコンディションは異常でないと判定する。
【０１４７】
なお、コンディション判定部１０７は、例えば、選手Ｐのコンディションの異常を段階的に判定しても良い。例えば、コンディション判定部１０７は、あるバイタル情報について正常範囲外である度合いに応じて、競技を中止させる必要はないが選手Ｐのコンディションが異常である場合を示す「異常（要確認）」、競技を中止させる必要がある事を示す「異常（競技中止）」等と判定しても良い。
【０１４８】
ここで、コンディション判定部１０７が、選手Ｐのコンディションが異常であると判定した場合、健康管理装置１０の通知部１０８は、当該選手ＰのユーザＩＤと、正常範囲内でないと判定されたバイタル情報とを監視員端末５０に送信する（ステップＳ１４０７）。
【０１４９】
そして、監視員端末５０の表示制御部５０２は、ユーザＩＤ受信部５０１がユーザＩＤ及びバイタル情報を受信すると、コンディションが異常の選手Ｐがいることを示す警告画面を表示する（ステップＳ１４０８）。これにより、監視員Ｑは、コンディションが異常の選手Ｐがいることを知ることができる。このため、監視員Ｑは、例えば、当該選手Ｐの競技続行を中止させる等の措置を取ることができるようになる。
【０１５０】
ここで、監視員端末５０の表示制御部５０２により表示される警告画面の一例について、図１５を参照しながら説明する。図１５は、コンディションが異常の選手がいることを示す警告画面Ｇ２００の一例を示す図である。
【０１５１】
図１５に示すように、警告画面Ｇ２００には、コンディションが異常の選手ＰのユーザＩＤと、異常内容とが表示されたリストＧ２０１が含まれる。これにより、監視員Ｑは、コンディションが異常の選手Ｐと、当該選手Ｐの異常内容とを知ることができる。
【０１５２】
また、監視員Ｑが当該リストＧ２０１に含まれる１つの行Ｇ２０２を選択すると、表示制御部５０２は、図１６に示すような選手Ｐの詳細画面Ｇ２１０を表示する。
【０１５３】
選手Ｐの詳細画面Ｇ２１０では、当該選手Ｐの詳細な情報（例えば、氏名、年齢、身長、体重、バイタル情報の履歴等）が表示される。これにより、監視員Ｑは、当該選手Ｐの競技続行を中止すべきか否かの判断することができるようになる。
【０１５４】
また、監視員端末５０の表示制御部５０２により表示される警告画面の他の例について、図１７を参照しながら説明する。図１７は、コンディションが異常の選手がいることを示す警告画面Ｇ３００の他の例を示す図である。
【０１５５】
図１７に示すように、警告画面Ｇ３００には、競技会場のマップＧ３０１上に各選手Ｐの位置が表示されている。このとき、警告画面Ｇ３００には、コンディションが異常の選手Ｐがいることを示すメッセージＧ３０２を、当該選手Ｐの位置に表示する。これにより、監視員Ｑは、コンディションが異常の選手Ｐがいること及び当該選手Ｐの位置を知ることができる。なお、選手Ｐの位置は、例えば、ウェアラブル端末２０に搭載されたＧＰＳ（Global  Positioning  System）受信機等から取得することができる。
【０１５６】
ここで、図１４のステップＳ１４０１のコンディション判定情報１６０Ｄを作成及び格納する処理について、図１８を参照しながら説明する。図１８は、コンディション判定情報１６０Ｄを作成及び格納する処理の一例を説明する図である。
【０１５７】
まず、練習時バイタル管理部１０３は、競技に含まれる種目の種目ＩＤのうち１つの種目ＩＤを固定して、当該種目ＩＤの練習時バイタル情報１５０Ｄを練習時バイタル情報記憶部１５０から取得する（ステップＳ１８０１）。すなわち、例えば、練習時バイタル管理部１０３は、種目ＩＤ「ＳＷＩＭ」の練習時バイタル情報１５０Ｄを練習時バイタル情報記憶部１５０から取得する。
【０１５８】
次に、判定情報作成部１０４は、ユーザＩＤ毎に、練習時バイタル管理部１０３が取得した練習時バイタル情報１５０Ｄから各バイタル情報の正常範囲を算出する（ステップＳ１８０２）。
【０１５９】
すなわち、判定情報作成部１０４は、例えば、練習時バイタル管理部１０３が取得した練習時バイタル情報１５０Ｄのうち、ユーザＩＤ「Ｕ００１」の練習時バイタル情報１５０Ｄから各バイタル情報の正常範囲を算出する。
【０１６０】
同様に、判定情報作成部１０４は、例えば、練習時バイタル管理部１０３が取得した練習時バイタル情報１５０Ｄのうち、ユーザＩＤ「Ｕ００２」の練習時バイタル情報１５０Ｄから各バイタル情報の正常範囲を算出する。
【０１６１】
ここで、各バイタル情報の正常範囲は、例えば、バイタル情報の平均値から所定の範囲内とすれば良い。具体的には、まず、判定情報作成部１０４は、例えば、ユーザＩＤ「Ｕ００１」の練習時バイタル情報１５０Ｄに含まれるバイタル情報「血圧」の平均値を算出する。そして、判定情報作成部１０４は、当該平均値を含む所定の範囲（例えば、±５％等）を、バイタル情報「血圧」の正常範囲とすれば良い。
【０１６２】
同様に、判定情報作成部１０４は、例えば、ユーザＩＤ「Ｕ００１」の練習時バイタル情報１５０Ｄに含まれるバイタル情報「心拍数」の平均値を算出する。そして、判定情報作成部１０４は、当該平均値を含む所定の範囲（例えば、±１０％等）を、バイタル情報「心拍数」の正常範囲とすれば良い。なお、平均値は、基準値の一例である。
【０１６３】
これにより、判定情報作成部１０４により、ある種目ＩＤ（例えば、種目ＩＤ「ＳＷＩＭ」）におけるユーザＩＤ毎の各バイタル情報の正常範囲が算出される。なお、判定情報作成部１０４により算出される各バイタル情報の平均値は、例えば、過去Ｎ日分の平均値であっても良いし、過去Ｍ時間分の平均値であっても良いし、過去Ｌ個の練習時バイタル情報１５０Ｄにおける平均値であっても良い。
【０１６４】
次に、判定情報作成部１０４は、ユーザＩＤ毎に、各バイタル情報の正常範囲を種目ＩＤと関連付けてコンディション判定情報１６０Ｄを作成する（ステップＳ１８０３）。
【０１６５】
すなわち、判定情報作成部１０４は、例えば、ユーザＩＤ「Ｕ００１」と、上記のステップＳ１８０２で算出した各バイタル情報の正常範囲と、種目ＩＤ「ＳＷＩＭ」とを関連付けてコンディション判定情報１６０Ｄを作成する。
【０１６６】
同様に、判定情報作成部１０４は、例えば、ユーザＩＤ「Ｕ００２」と、上記のステップＳ１８０２で算出した各バイタル情報の正常範囲と、種目ＩＤ「ＳＷＩＭ」とを関連付けてコンディション判定情報１６０Ｄを作成する。
【０１６７】
これにより、判定情報作成部１０４により、ユーザＩＤ毎に、ある種目ＩＤ（例えば、種目ＩＤ「ＳＷＩＭ」）におけるコンディション判定情報１６０Ｄが作成される。
【０１６８】
次に、コンディション判定管理部１０５は、判定情報作成部１０４により作成されたコンディション判定情報１６０Ｄをコンディション判定情報記憶部１６０に格納する（ステップＳ１８０４）。
【０１６９】
本実施形態では、種目毎の練習時バイタル情報１５０Ｄから種目毎の基準値を算出し、選手Ｐの競技中の種目とバイタル情報とを取得して基準値からのずれの大きさに応じて正常か異常かを判定するコンディション判定情報１６０Ｄを作成している。本実施形態では、基準値は練習時バイタル情報１５０Ｄの平均値であり、ずれの大きさは当該平均値を含む所定の範囲（例えば、±１０％等）としている。基準値は、平均値の他、例えば、中央値や偏差等が用いられても良い。また、ずれの大きさも練習時バイタル情報１５０Ｄの確率分布等であっても良い。
【０１７０】
次に、練習時バイタル管理部１０３は、次の種目ＩＤがあるか否かを判定する（ステップＳ１８０５）。すなわち、練習時バイタル管理部１０３は、競技に含まれる種目の種目ＩＤのうち、未だ固定していない種目ＩＤがあるか否かを判定する。
【０１７１】
ステップＳ１８０５において、次の種目ＩＤがあると判定された場合、練習時バイタル管理部１０３は、競技に含まれる種目の種目ＩＤのうち次の種目ＩＤを固定して、当該種目ＩＤの練習時バイタル情報１５０Ｄを練習時バイタル情報記憶部１５０から取得する（ステップＳ１８０６）。
【０１７２】
そして、健康管理装置１０は、以降のステップＳ１８０２〜ステップＳ１８０５の処理を行う。すなわち、ステップＳ１８０２〜ステップＳ１８０５の処理は、例えば、種目ＩＤ「ＳＷＩＭ」の練習時バイタル情報１５０Ｄ、種目ＩＤ「ＢＩＫＥ」の練習時バイタル情報１５０Ｄ及び種目ＩＤ「ＲＵＮ」の練習時バイタル情報１５０Ｄについて行われる。
【０１７３】
一方、ステップＳ１８０５において、次の種目ＩＤがないと判定された場合、健康管理装置１０は、処理を終了する。
【０１７４】
これにより、種目毎に練習時バイタル情報記憶部１５０に記憶されている練習時バイタル情報１５０Ｄから、選手Ｐ及び種目毎のコンディション判定情報１６０Ｄが作成される。
【０１７５】
次に、選手Ｐが競技をスタートした場合に現在種目情報１７０Ｄを作成すると共に、選手Ｐがトランジット地点を通過等した場合に現在種目情報１７０Ｄを更新する処理について、図１９を参照しながら説明する。図１９は、現在種目情報１７０Ｄを作成又は更新する処理の一例を示すシーケンス図である。
【０１７６】
ウェアラブル端末２０のユーザＩＤ送信部２０３は、種目通知装置４０と通信可能となった場合に、ユーザＩＤ２０４を当該種目通知装置４０に送信する（ステップＳ１９０１）。すなわち、例えば、ウェアラブル端末２０を装着等した選手Ｐが、種目通知装置４０が内蔵等されたゲートを通過した場合、当該ウェアラブル端末２０のユーザＩＤ送信部２０３は、ユーザＩＤ２０４を当該種目通知装置４０に送信する。なお、ウェアラブル端末２０のユーザＩＤ送信部２０３は、例えばＲＦＩＤ（Radio  Frequency  Identifier）等を用いて、ユーザＩＤ２０４を種目通知装置４０に送信すれば良い。
【０１７７】
種目通知装置４０の種目ＩＤ送信部４０２は、ユーザＩＤ受信部４０１がユーザＩＤを受信すると、当該ユーザＩＤと、種目ＩＤ４０３とを健康管理装置１０に送信する（ステップＳ１９０２）。
【０１７８】
ここで、種目通知装置４０は、予め記憶されている種目ＩＤ４０３を健康管理装置１０に送信する。例えば、スタート地点に設置されたゲートに内蔵等された種目通知装置４０−１の種目ＩＤ送信部４０２は、種目ＩＤ「ＳＷＩＭ」と、当該ユーザＩＤとを健康管理装置１０に送信する。同様に、例えば、種目「スイム」から種目「バイク」へのトランジット地点に設置されたゲートに内蔵等された種目通知装置４０−２の種目ＩＤ送信部４０２は、種目ＩＤ「ＢＩＫＥ」と、当該ユーザＩＤとを健康管理装置１０に送信する。同様に、例えば、種目「バイク」から種目「ラン」へのトランジット地点に設置されたゲートに内蔵等された種目通知装置４０−３の種目ＩＤ送信部４０２は、種目ＩＤ「ＲＵＮ」と、当該ユーザＩＤとを健康管理装置１０に送信する。また、例えば、フィニッシュ地点に設置されたゲートに内蔵等された種目通知装置４０−４の種目ＩＤ送信部４０２は、種目ＩＤ「ＦＩＮＩＳＨ」と、当該ユーザＩＤとを健康管理装置１０に送信する。
【０１７９】
ここで、種目通知装置４０が送信したユーザＩＤの現在種目情報１７０Ｄが現在種目情報記憶部１７０に格納されていない場合、健康管理装置１０は、ステップＳ１９０３及びステップＳ１９０４の処理を行う。一方、種目通知装置４０が送信したユーザＩＤの現在種目情報１７０Ｄが現在種目情報記憶部１７０に格納されている場合、健康管理装置１０は、ステップＳ１９０５の処理を行う。
【０１８０】
健康管理装置１０の現在種目情報作成部１１０は、種目ＩＤ受信部１０９が受信したユーザＩＤ及び種目ＩＤを関連付けた現在種目情報１７０Ｄを作成する（ステップＳ１９０３）。これは、例えば、選手Ｐがスタート地点に設置されたゲートを通過等した場合である。したがって、この場合、現在種目情報作成部１１０は、例えば、種目ＩＤ「ＳＷＩＭ」を含む現在種目情報１７０Ｄを作成する。
【０１８１】
次に、健康管理装置１０の現在種目管理部１１１は、現在種目情報作成部１１０が作成した現在種目情報１７０Ｄを現在種目情報記憶部１７０に格納する（ステップＳ１９０４）。これにより、選手Ｐが競技をスタートして最初に行う種目の種目ＩＤを含む現在種目情報１７０Ｄが現在種目情報記憶部１７０に格納される。
【０１８２】
一方、健康管理装置１０の現在種目管理部１１１は、種目ＩＤ受信部１０９が受信したユーザＩＤを含む現在種目情報１７０Ｄの種目ＩＤを、種目ＩＤ受信部１０９が受信した種目ＩＤに更新する（ステップＳ１９０５）。例えば、ユーザＩＤ「Ｕ００１」及び種目ＩＤ「ＳＷＩＭ」を含む現在種目情報１７０Ｄが現在種目情報記憶部１７０に記憶されており、種目ＩＤ受信部１０９がユーザＩＤ「Ｕ００１」及び種目ＩＤ「ＢＩＫＥ」を受信したとする。この場合、現在種目管理部１１１は、ユーザＩＤ「Ｕ００１」を含む現在種目情報１７０Ｄの種目ＩＤを、「ＳＷＩＭ」から「ＢＩＫＥ」に更新する。これにより、競技中の選手Ｐが現在行っている種目が管理される。
【０１８３】
以上のように、本実施形態に係る健康管理システム１では、練習中における選手Ｐのバイタル情報を含む練習時バイタル情報１５０Ｄを種目毎に蓄積する。そして、本実施形態に係る健康管理システム１では、競技中の選手Ｐのコンディションを、練習時バイタル情報１５０Ｄに基づいて種目毎に作成したコンディション判定情報１６０Ｄから判定する。
【０１８４】
これにより、本実施形態に係る健康管理システム１では、複数の種目が含まれる競技を行っている選手Ｐのコンディションを、当該選手Ｐが行っている種目毎に適切に判定することができるようになる。したがって、本実施形態に係る健康管理システム１では、競技中の選手Ｐのコンディションが異常となった場合に、適切な警告を監視員Ｑの監視員端末５０に出力することができる。
【０１８５】
以上、本発明の実施形態について詳述したが、本発明は斯かる特定の実施形態に限定されるものではなく、特許請求の範囲に記載された本発明の要旨の範囲内において、種々の変形・変更が可能である。
【０１８６】
以上の説明に関し、更に以下の項を開示する。
（付記１）
複数の種目が含まれる競技における選手の健康状態を管理するコンピュータに、
前記種目の練習時における前記選手のバイタル情報と、前記種目を識別する種目識別情報とを関連付けて記憶部に記憶し、
前記競技中において前記選手が行っている種目を識別する種目識別情報と、前記選手のバイタル情報とを取得し、
取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する、
処理を実行させるための健康管理プログラム。
（付記２）
健康状態が異常であると判定された前記選手に関する情報を、前記コンピュータに接続される端末に出力する、ことを特徴とする付記１に記載の健康管理プログラム。
（付記３）
前記健康状態が異常であると判定された前記選手を識別する選手識別情報と、前記選手のバイタル情報とを前記端末に出力する、ことを特徴とする付記２に記載の健康管理プログラム。
（付記４）
複数の種目が含まれる競技における選手の健康状態を管理する健康管理装置であって、
前記種目の練習時における前記選手のバイタル情報と、前記種目を識別する種目識別情報とを関連付けて記憶する記憶部と、
前記競技中において前記選手が行っている種目を識別する種目識別情報と、前記選手のバイタル情報とを取得する取得部と、
取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する判定部と、
を有する健康管理装置。
（付記５）
健康状態が異常であると判定された前記選手に関する情報を、前記コンピュータに接続される端末に出力する出力部を有する、ことを特徴とする付記４に記載の健康管理装置。
（付記６）
前記出力部は、
前記健康状態が異常であると判定された前記選手を識別する選手識別情報と、前記選手のバイタル情報とを前記端末に出力する、ことを特徴とする付記５に記載の健康管理装置。
（付記７）
複数の種目が含まれる競技における選手の健康状態を管理するコンピュータが、
前記種目の練習時における前記選手のバイタル情報と、前記種目を識別する種目識別情報とを関連付けて記憶部に記憶し、
前記競技中において前記選手が行っている種目を識別する種目識別情報と、前記選手のバイタル情報とを取得し、
取得した前記種目識別情報に関連付けられて前記記憶部に記憶されているバイタル情報から算出した基準値と、取得した前記選手のバイタル情報とのずれの大きさに応じて、前記選手の健康状態が異常であるか否かを判定する、
処理を実行する健康管理方法。
（付記８）
健康状態が異常であると判定された前記選手に関する情報を、前記コンピュータに接続される端末に出力する、ことを特徴とする付記７に記載の健康管理方法。
（付記９）
前記健康状態が異常であると判定された前記選手を識別する選手識別情報と、前記選手のバイタル情報とを前記端末に出力する、ことを特徴とする付記８に記載の健康管理方法。
【符号の説明】
【０１８７】
１        健康管理システム
１０      健康管理装置
２０      ウェアラブル端末
３０      練習環境端末
４０      種目通知装置
５０      監視員端末
１０１    練習時バイタル情報受信部
１０２    練習時バイタル情報作成部
１０３    練習時バイタル管理部
１０４    判定情報作成部
１０５    コンディション判定管理部
１０６    バイタル情報受信部
１０７    コンディション判定部
１０８    通知部
１０９    種目ＩＤ受信部
１１０    現在種目情報作成部
１１１    現在種目管理部
１５０    練習時バイタル情報記憶部
１６０    コンディション判定情報記憶部
１７０    現在種目情報記憶部
２０１    バイタル情報取得部
２０２    バイタル情報送信部
２０３    ユーザＩＤ送信部
３０１    入力受付部
３０２    表示制御部
３０３    バイタル情報受信部
３０４    練習履歴情報作成部
３０５    選手管理部
３０６    練習履歴管理部
３０７    バイタル情報送信部
３５０    選手情報記憶部
３６０    練習履歴情報記憶部
４０１    ユーザＩＤ受信部
４０２    種目ＩＤ送信部
５０１    ユーザＩＤ受信部
５０２    表示制御部
【図１】
2018109825.tif 000003
【図２】
2018109825.tif 000004
【図３】
2018109825.tif 000005
【図４】
2018109825.tif 000006
【図５】
2018109825.tif 000007
【図６】
2018109825.tif 000008
【図７】
2018109825.tif 000009
【図８】
2018109825.tif 000010
【図９】
2018109825.tif 000011
【図１０】
2018109825.tif 000012
【図１１】
2018109825.tif 000013
【図１２】
2018109825.tif 000014
【図１３】
2018109825.tif 000015
【図１４】
2018109825.tif 000016
【図１５】
2018109825.tif 000017
【図１６】
2018109825.tif 000018
【図１７】
2018109825.tif 000019
【図１８】
2018109825.tif 000020
【図１９】
2018109825.tif 000021